(57)【特許請求の範囲】
【請求項１】
プラスチックフィルムの間欠送り毎に、カッタによって前記プラスチックフィルムを切断し、プラスチック袋を製造する製袋機において、前記プラスチックフィルムを完全に切断せず、その切断線上に複数の微少接続部分を形成し、前記プラスチックフィルムを部分的接続状態に保つとともに、製造年月日、製造ロット、製袋機などの区分項目毎に、その都度前記カッタの刃の切断特性を変更し、前記微少接続部分の位置、大きさまたは数を変化させ、前記プラスチック袋に前記区分項目の情報をもたせるようにしたことを特徴とする製袋機。
【請求項２】
プラスチックフィルムの間欠送り毎に、カッタによって前記プラスチックフィルムを切断し、プラスチック袋を製造する製袋機において、前記カッタによって前記プラスチックフィルムを切断するとき、そのカッタによって前記プラスチック袋の開口ノッチを形成するようにしたことを特徴とする製袋機。
【発明の詳細な説明】
【０００１】
【産業上の利用分野】
この発明は、プラスチック袋を製造する製袋方法および製袋機に関するものである。
【０００２】
【従来技術とその問題点】
プラスチック袋を製造する製袋機では、普通、プラスチックフィルムが複数層に重ね合わされ、送りローラによってそれが間欠送りされる。さらに、プラスチックフィルムの間欠送り毎に、ヒートシール装置によってプラスチックフィルムがヒートシールされ、その後、プラスチックフィルムの間欠送り毎に、カッタによってプラスチックフィルムが切断される。これによってプラスチック袋が製造されることは周知のとおりである。
【０００３】
ところで、製造者責任法との関係上、プラスチック袋についても、その製造年月日が随時判明するようにすることが好ましい。したがって、プラスチック袋に製造年月日を印刷することが要求されているが、そのコストが高いという問題がある。製造年月日を印刷すると、故意にそれが偽造されるおそれもある。プラスチック袋の製造年月日だけではなく、その製造ロットも同様であり、プラスチック袋を製造した製袋機も同様であり、その他の区分項目も同様である。この他、プラスチック袋の製造後、プラスチック袋に内容充填物が充填されるが、内容充填物の製造年月日またはその他の区分項目も同様である。
【０００４】
【発明の目的】
したがって、この発明は、プラスチックフィルムの間欠送り毎に、カッタによってプラスチックフィルムを切断し、プラスチック袋を製造する製袋方法および製袋機において、製造年月日、製造ロット、製袋機などの区分項目に対応し、プラスチック袋に区分項目の情報をもたせることができ、そのコストが低く、区分項目の情報の偽造のおそれがないようにすべくなされたものである。
【０００５】
【発明の構成】
この発明によれば、プラスチックフィルムの間欠送り毎に、カッタによって前記プラスチックフィルムを切断し、プラスチック袋を製造する製袋機において、前記プラスチックフィルムを完全に切断せず、その切断線上に複数の微少接続部分を形成し、前記プラスチックフィルムを部分的接続状態に保つとともに、製造年月日、製造ロット、製袋機などの区分項目毎に、その都度前記カッタの刃の切断特性を変更し、前記微少接続部分の位置、大きさまたは数を変化させ、前記プラスチック袋に前記区分項目の情報をもたせるようにしたことを特徴とする製袋機が提供される。
【０００６】
さらに、プラスチックフィルムの間欠送り毎に、カッタによって前記プラスチックフィルムを切断し、プラスチック袋を製造する製袋機において、前記カッタによって前記プラスチックフィルムを切断するとき、そのカッタによって前記プラスチック袋の開口ノッチを形成するようにしたことを特徴とする製袋機が提供される。
【０００７】
【実施例の説明】
以下、この発明の実施例を説明する。
【０００８】
図１はこの発明にかかる製袋機を示す。この製袋機では、プラスチックフィルム１が複数層に重ね合わされ、一対の送りローラ２間に導かれ、送りローラ２によってプラスチックフィルム１が間欠送りされる。さらに、プラスチックフィルム１の間欠送り毎に、ヒートシール装置によってプラスチックフィルム１がヒートシールされ、図２に示すように、プラスチックフィルム１にヒートシール部分３が形成される。その後、プラスチックフィルム１の間欠送り毎に、カッタ４によってプラスチックフィルム１が切断される。これによってプラスチック袋５が製造されるものである。
【０００９】
この実施例のプラスチック袋５は変形袋であり、カッタ４によってプラスチックフィルム１が切断され、プラスチック袋５が製造されるとき、プラスチックフィルム１は波形状に切断され、プラスチック袋５は波形状の両側縁６を有する。さらに、その両側縁６が一定角度傾斜しており、プラスチック袋５間において、必然的にプラスチックフィルム１のかす７が生じる。さらに、この実施例では、カッタ４によってプラスチック袋５の開口ノッチ８が形成される。開口ノッチ８はプラスチック袋５を引き裂き、開封するためのものである。
【００１０】
さらに、この実施例では、カッタ４の刃に一対のトムソン刃９が使用され、トムソン刃９はプラスチックフィルム１の送り方向Ｘに間隔を置いて配置され、可動台１０に取り付けられており、プラスチックフィルム１はトムソン刃９と受け台１１間に導かれる。さらに、たとえば、リンク機構によって可動台１０とヒートシール装置が連結されており、プラスチックフィルム１の間欠送り毎に、リンク機構によって可動台１０が押し下げられ、かす７の両側において、トムソン刃９がプラスチックフィルム１に押し付けられ、プラスチックフィルム１がトムソン刃９と受け台１１間に挟まれ、トムソン刃９によってプラスチックフィルム１が切断される。トムソン刃９は波形状に湾曲している。したがって、プラスチックフィルム１が波形状に切断されるものである。さらに、トムソン刃９が一定個所で屈曲しており、トムソン刃９によってプラスチックフィルム１が切断され、その屈曲部分によってプラスチック袋５の開口ノッチ８が形成される。
【００１１】
さらに、この実施例では、プラスチックフィルム１が完全に切断されず、その切断線１２上に複数の微小接続部分１３が形成され、プラスチックフィルム１が部分的接続状態に保たれる。たとえば、各トムソン刃９のエッジにおいて、複数の微小くぼみが互いに間隔を置いて形成されており、トムソン刃９がプラスチックフィルム１に押し付けられたとき、各微小くぼみがプラスチックフィルム１の切断状態に関係し、微小くぼみによって各微小接続部分１３が形成される。微小接続部分１３はマイクロジョイントと呼ばれているところのもので、便宜上誇張した状態で示されているが、０．２ｍｍ程度の大きさのものであり、きわめて小さい。
【００１２】
そして、その後、リンク機構によって可動台１０が引き上げられ、トムソン刃９がプラスチックフィルム１および受け台１１から離れ、上昇する。さらに、この実施例では、各トムソン刃９において、ウレタンゴム１４がトムソン刃９の両側に配置され、可動台１０に取り付けられており、プラスチックフィルム１が切断されるとき、ウレタンゴム１４がプラスチックフィルム１および受け台１１に押し付けられ、弾性変形し、これによってプラスチックフィルム１が保持される。その後、トムソン刃９がプラスチックフィルム１および受け台１１から離れ、上昇するとき、ウレタンゴム１４がもとの状態に復元し、プラスチックフィルム１がトムソン刃９から押し離される。したがって、プラスチックフィルム１がトムソン刃９にくっつき、引き上げられることはない。その後、プラスチックフィルム１が部分的接続状態で間欠送りされ、カッタ４の下流位置において、適宜の機構によってプラスチック袋５およびかす７が引きちぎられる。
【００１３】
さらに、この製袋機では、たとえば、プラスチック袋５の製造年月日毎に、その都度カッタ４の刃の切断特性が変更され、プラスチックフィルム１の切断状態または切断形状が変化する。たとえば、製造年月日毎に、その都度トムソン刃９が交換され、その切断特性が変更され、微小接続部分１３の位置、大きさまたは数が変化する。その後、その微小接続部分１３において、適宜の機構によってプラスチック袋５が引きちぎられるものであり、プラスチック袋５に微小接続部分１３の痕跡が残る。したがって、プラスチック袋５に製造年月日の情報をもたせることができる。トムソン刃９を交換せず、同一のトムソン刃９において、製造年月日毎に、その都度トムソン刃９を加工し、その微小くぼみを増大させ、微小接続部分１３の大きさを変化させてもよい。製造年月日毎に、その都度微小くぼみの数を増加し、微小接続部分１３の数を増加してもよい。
【００１４】
したがって、たとえば、コンピュータなどの記憶または記録媒体において、製造年月日毎に、その都度微小接続部分１３の位置、大きさまたは数を記憶または記録する。そして、市場に流通したプラスチック袋５において、その微小接続部分１３の位置、大きさまたは数を記憶または記録媒体の記憶または記録内容と現物または画像照合すると、プラスチック袋５の製造年月日が随時判明する。
【００１５】
プラスチック袋５の製造年月日だけではなく、製造ロット、製袋機またはその他の区分項目についても、その都度トムソン刃９の切断特性を変更し、微小接続部分１３の位置、大きさまたは数を変化させ、プラスチック袋５に区分項目の情報をもたせることができる。したがって、区分項目毎に、その都度微小接続部分１３の位置、大きさまたは数を記憶または記録し、市場に流通したプラスチック袋５において、その微小接続部分１３の位置、大きさまたは数を記憶または記録媒体の記憶または記録内容と現物または画像照合することができ、プラスチック袋５の区分項目が随時判明する。プラスチック袋５の内容充填物に関する区分項目に対応し、プラスチック袋５にその情報をもたせることも可能である。
【００１６】
この製袋機の場合、前記従来のように、プラスチック袋５に区分項目を印刷する必要がなく、コストは低い。しかも、微小接続部分１３の位置、大きさまたは数を変化させても、一般にそれが気付かれることはなく、区分項目の偽造のおそれはない。
【００１７】
さらに、この製袋機では、カッタ４によってプラスチックフィルム１が切断されるとき、カッタ４によってプラスチック袋５の開口ノッチ８が形成されることは前述したとおりである。したがって、開口ノッチ８を別工程で形成する必要がなく、コストが低く、好ましい。
【００１８】
【発明の効果】
以上説明したように、この発明によれば、プラスチック袋に区分項目の情報をもたせることができる。プラスチック袋に区分項目を印刷する必要はなく、コストは低い。区分項目の偽造のおそれもなく、所期の目的を達成することができるものである。
【図面の簡単な説明】
【図１】  この発明の実施例を示す側面図である。
【図２】  図１のプラスチックフィルムおよびプラスチック袋の平面図である。
【符号の説明】
１ プラスチックフィルム
４ カッタ
５ プラスチック袋
８ 開口ノッチ
９ トムソン刃
１２ 切断線
１３ 微小接続部分
【図１】
0004868670.tif 000002
【図２】
0004868670.tif 000003